(57)【特許請求の範囲】
【請求項１】
圧縮機（21）と熱源側熱交換器（23）と膨張機構（44）と利用側熱交換器（31）とが接続されて冷媒が循環する冷媒回路（11）と、
上記利用側熱交換器（31）において冷媒と熱交換した空気を吹き出させる利用側ファン（32）とを備え、
少なくとも温風を吹き出す空気調和装置において、
運転を開始すると、予め設定された最低回転数で上記利用側ファン（32）を駆動した後、上記利用側熱交換器（31）の冷媒温度が所定値より高くなり、且つ上記利用側熱交換器（31）の冷媒温度と空調空間の温度との温度差が所定値より大きくなると、上記利用側ファン（32）の回転数を最低回転数より高い所定の中間回転数に増大させる温度風量制御手段（62）と、
上記利用側ファン（32）が中間回転数で駆動すると、時間の経過と共に、利用側ファン（32）の回転数を設定回転数まで段階的に上げる時間風量制御手段（63）とを備えている
ことを特徴とする空気調和装置。
【請求項２】
請求項１において、
運転を開始して、所定時間が経過するまでに、温度風量制御手段（62）が利用側ファン（32）の回転数を中間回転数に増大させないと、該利用側ファン（32）の回転数を上記中間回転数に増大させる起動風量制御手段（64）を備えている
ことを特徴とする空気調和装置。
【発明の詳細な説明】
【０００１】
【発明の属する技術分野】
本発明は、空気調和装置に関し、特に、運転の開始後の風量制御対策に係るものである。
【０００２】
【従来の技術】
従来より、空気調和装置には、特開平１１−２１８３４９号公報に開示されているように、圧縮機と室内熱交換器と膨張機構と室外熱交換器とが順に接続されて構成される冷媒回路を備えているものが知られている。上記空気調和装置は、圧縮機を駆動する電動機にインバータ回路を接続し、該インバータ回路の出力周波数を変更することにより、電動機の回転数を変化させて、圧縮機の運転容量を制御している。また、上記空気調和装置は、室内熱交換器に設けられる室内ファンの回転数を制御することにより、室内に吹き出す風量を制御している。
【０００３】
この種の空気調和装置では、暖房運転を開始した直後にも室内ファンの回転数制御を行っている。具体的に、この種の空気調和装置は、図３に示すように、運転の開始時には、冷媒が循環して安定した暖房運転が行えるようになるまで、ほとんど風が出ない極低回転数ＬＬで室内ファンを回転する準備運転を行い、所定条件（Ａ）になると室内ファンの回転数を一気に最大回転数である高回転数Ｈに上昇させ、室内温度を所望の温度に迅速に近づけるように室内ファンの制御を行っている。
【０００４】
上記所定条件（Ａ）としては、凝縮温度である室内熱交換器の冷媒温度tcが３４℃より高温になった場合、及び運転が開始した後４０秒を経過した場合の何れかの条件が満たされたときが設定されている。
【０００５】
【発明が解決しようとする課題】
しかしながら、上記空気調和装置における室内ファンの制御においては、運転開始時に冷風が吹き出すという問題が十分に解決されていなかった。
【０００６】
特に、インバータ回路の出力周波数により運転容量を変更する圧縮機を使用する空気調和装置においては、運転容量が時間をかけて徐々に増大する。このため、室内熱交換器の冷媒温度が徐々にしか上がらず、室内熱交換器の冷媒温度が所定温度に達するまでに相当の時間がかかる。この結果、室内熱交換器の冷媒温度が所定温度になる前に、４０秒が経過して室内ファンを高回転数Ｈで駆動する場合がった。この場合、最大風量の冷風が吹き出すので、不快感を感じるという問題があった。
【０００７】
本発明は、斯かる点に鑑みてなされたものであり、運転の開始後、吹き出す風量を制御することにより、快適性の低下を防止することを目的とするものである。
【０００８】
【課題を解決するための手段】
本発明は、運転の開始後、吹き出す風量を次第に増加させるようにしたものである。
【０００９】
具体的に、第１の発明は、圧縮機（21）と熱源側熱交換器（23）と膨張機構（44）と利用側熱交換器（31）とが接続されて、冷媒が循環する冷媒回路（11）と、上記利用側熱交換器（31）において冷媒と熱交換した空気を吹き出させる利用側ファン（32）とを備え、少なくとも温風を吹き出す空気調和装置を対象としている。そして、運転を開始すると、予め設定された最低回転数で上記利用側ファン（32）を駆動した後、上記利用側熱交換器（31）の冷媒温度が所定値より高くなり、且つ上記利用側熱交換器（31）の冷媒温度と空調空間の温度との温度差が所定値より大きくなると、上記利用側ファン（32）の回転数を最低回転数より高い所定の中間回転数に増大させる温度風量制御手段（62）を備えている。更に、上記利用側ファン（32）が中間回転数で駆動すると、時間の経過と共に、利用側ファン（32）の回転数を設定回転数まで段階的に上げる時間風量制御手段（63）を備えている。
【００１０】
また、第２の発明は、上記第３の発明において、運転を開始して、所定時間が経過するまでに、温度風量制御手段（62）が利用側ファン（32）の回転数を中間回転数に増大させないと、該利用側ファン（32）の回転数を上記中間回転数に増大させる起動風量制御手段（64）を備えている。
【００１１】
すなわち、上記第１の発明では、運転を開始すると、予め設定された最低回転数で利用側ファン（32）が駆動する。その後、利用側熱交換器（31）の冷媒温度が次第に上昇し、利用側熱交換器（31）の冷媒温度と空調空間の温度との温度差が次第に大きくなる。利用側熱交換器（31）の冷媒温度が所定値より高くなり、且つ利用側熱交換器（31）の冷媒温度と空調空間の温度との温度差が所定値より大きくなると、利用側ファン（32）の回転数が最低回転数から中間回転数に増大する。その後、利用側熱交換器（31）で熱交換した空気の温度が次第に上昇する一方、時間の経過と共に、利用側ファン（32）の回転数が段階的に設定回転数まで上がる。従って、空気が暖まるのに伴って、吹き出し風量が増大する。
【００１２】
また、上記第２の発明では、上記第１の発明において、例えば、運転開始時の室内の温度がかなり低いときのように、運転を開始して所定時間が経過するまでに、利用側熱交換器（31）の冷媒温度が所定値より高くならない場合、又は利用側熱交換器（31）の冷媒温度と空調空間の温度との温度差が所定値より大きくならない場合にも、運転を開始して所定時間が経過すると、利用側ファン（32）の回転数が中間回転数に増大する。その後、利用側熱交換器（31）で熱交換した空気の温度が次第に上昇する一方、時間の経過と共に、利用側ファン（32）の回転数が段階的に設定回転数まで上がる。従って、空気が暖まるのに伴って、吹き出し風量が増大する。
【００１３】
【発明の効果】
従って、上記発明によれば、利用側熱交換器（31）から吹き出す風量を設定風量まで次第に増加させるようにしたために、運転を開始した直後に設定風量の冷風が吹き出すのを防止することができる。この結果、例えば、室内の人間が不快に感じるのを防止することができ、快適性の向上を図ることができる。
【００１４】
また、比較的に空調空間の温度が高い場合において、吹き出し空気の温度が空調空間の温度に近いと、吹き出し空気を暖かく感じないことがあるが、これを確実に防止することができる。
【００１５】
また、上記第２の発明によれば、所定時間内に所定条件にならないときでも、所定時間が経過したときに、利用側ファン（32）の回転数を中間回転数に増大させるようにしたために、全く空調されずに、例えば、室内の人間が不快に感じるのを防止することができ、快適性の向上を図ることができる。
【００１６】
【発明の実施の形態】
以下、本発明の実施形態を図面に基づいて詳細に説明する。
【００１７】
図１に示すように、本実施形態の空気調和装置（10）は、室外ユニット（20）と室内ユニット（30）とが接続されたいわゆるセパレートタイプの空気調和装置である。
【００１８】
上記室外ユニット（20）は、圧縮機（21）と四路切換弁（22）と室外熱交換器（23）と補助熱交換器（24）と膨張回路（25）とを備えて構成されている。
【００１９】
上記室内ユニット（30）は、室内熱交換器（31）と、該室内熱交換器（31）において冷媒と熱交換した空気を室内に吹き出す室内ファン（32）とを備えて構成されている。
【００２０】
上記圧縮機（21）と四路切換弁（22）と室外熱交換器（23）と補助熱交換器（24）と膨張回路（25）と室内熱交換器（31）とが順に接続され、冷媒が循環する冷媒回路（11）が構成されている。そして、該冷媒回路（11）は、冷房運転（冷凍サイクル運転）と暖房運転（ヒートポンプ運転）とに切り換わるように構成されている。
【００２１】
上記室外ユニット（20）と室内ユニット（30）とは、液側配管（12）及びガス側配管（13）により接続されている。液側配管（12）は膨張回路（25）と室内熱交換器（31）とを接続している。ガス側配管（13）は、四路切換弁（22）と室内熱交換器（31）とを接続している。
【００２２】
上記圧縮機（21）は、スクロールタイプの圧縮機に構成され、電動機（21a）を備えている。該電動機（21a）は、回転数を変更することにより、圧縮機（21）の運転容量を変更させるように構成されている。上記圧縮機（21）の吐出側には吐出管（26）が、吸入側には吸入管（27）が接続されている。
【００２３】
上記四路切換弁（22）は、冷媒回路（11）を冷凍サイクル運転とヒートポンプ運転とに切り換えるように構成されている。
【００２４】
上記室外熱交換器（23）及び補助熱交換器（24）は、熱源側熱交換器を構成し、室外空気と冷媒とを熱交換させるように構成されている。上記室外熱交換器（23）は、室外ファン（28）を備えている。
【００２５】
上記膨張回路（25）は、ブリッジ回路で構成される方向制御回路（41）と、この方向制御回路（41）に接続される一方向通路（42）により構成されている。上記方向制御回路（41）は、冷房運転時には室外熱交換器（23）からの冷媒を、暖房運転時には室内熱交換器（31）からの冷媒を一方向通路（42）に案内するように構成されている。
【００２６】
上記一方向通路（42）には、上流側に位置して冷媒を貯留しながら冷媒を流出させるレシーバ（43）と、その下流側に位置する開度調整可能な電動膨張弁（44）とが直列に配置されている。電動膨張弁（44）が膨張機構を構成している。
【００２７】
上記一方向通路（42）は、上記レシーバ（43）と電動膨張弁（44）との間において、圧縮機（21）の停止時における液封を防止する液封防止通路（46）を介して、圧縮機（21）の吐出管（26）に接続されている。この液封防止通路（46）には、上記一方向通路（42）から吐出管（26）への冷媒の流通を許容する逆止弁（47）が設置されている。
【００２８】
上記方向制御回路（41）は、第１流入路（48）と、第１流出路（49）と、第２流入路（50）と、第２流出路（51）とがブリッジ状に接続されて構成されている。各流入路及び各流出路には、それぞれ逆止弁（CV）が設けられている。
【００２９】
上記第１流入路（48）は、室外熱交換器（23）が接続される第１接続点（52）から、１方向通路の上流端が接続される第２接続点（53）に向かう冷媒流れを形成している。また、上記第１流出路（49）は、一方向通路（42）の下流端が接続される第３接続点（54）から、室内熱交換器（31）が接続される第４接続点（55）に向かう冷媒流れを形成している。
【００３０】
上記第２流入路（50）は、第４接続点（55）から第２接続点（53）に向かう冷媒流れを形成している。また、上記第２流出路（51）は、第３接続点（54）から第１接続点（52）に向かう冷媒流れを形成している。
【００３１】
上記レシーバ（43）の上部と、常時低圧液配管となる一方向通路（42）における電動膨張弁（44）より下流側との間にはバイパス通路（56）が接続されている。該バイパス通路（56）には電磁弁（57）が設置されており、レシーバ（43）内のガス冷媒を抜くことができるように構成されている。
【００３２】
上記室内熱交換器（31）は、利用側熱交換器を構成し、室内空気と冷媒とを熱交換させるように構成されている。
【００３３】
上記室内ファン（32）は、４段階の回転数に設定することができるように構成されている。この４段階とは、室内にほとんど風を吹き出さない最低回転数ＬＬ、中間回転数である低回転数Ｌ、中回転数Ｍ、及び最大回転数である高回転数Ｈの４段階である。
【００３４】
上記圧縮機（21）の吐出管（26）には、該圧縮機（21）の吐出管温度を検出する吐出管温度センサ（Td）が設置されている。また、室外ユニット（20）の空気吸込口には、室外温度を検出する室外温度センサ（To）が配置され、室外熱交換器（23）には、該室外熱交換器（23）を流れる冷媒の温度である室外熱交温度を検出する室外熱交温度センサ（Te）が配置されている。さらに、上記室内ユニット（30）の空気吸込口には、室内温度trを検出する室内温度センサ（Tr）が配置され、室内熱交換器（31）には、該室内熱交換器（31）を流れる冷媒の温度であり、冷房運転時には蒸発温度となり、暖房運転時には凝縮温度となる室内熱交温度tcを検出する室内熱交温度センサ（Tc）が配置されている。
【００３５】
上記圧縮機（21）の吐出管（26）には、圧縮機（21）の吐出側の圧力を検出する高圧制御圧力センサ（HS）が配置されている。
【００３６】
上記各温度センサ（Td，To，Te，Tr，Tc）及び高圧制御圧力センサ（HS）の出力信号がコントローラ（60）に入力されている。該コントローラ（60）は、運転制御部（61）と温度風量制御部（62）と時間風量制御部（63）と起動風量制御部（64）とを備えている。
【００３７】
上記運転制御部（61）は、インバータ回路（図示せず）を備えて構成されている。該運転制御部（61）は、運転を開始した後、インバータ回路の出力周波数を段階的に増加させることにより、電動機（21a）の回転数を段階的に増加させ、圧縮機（21）の運転容量を段階的に増大させる運転制御手段を構成している。具体的に、上記運転制御部（61）は、図２（ｂ）に示すように、運転の開始後３分から５分の間は、運転容量を最大容量の４０％とし、その後、運転容量を３０秒毎に段階的に増大させ、１０数段階で最大容量にするように構成されている。
【００３８】
また、上記運転制御部（61）は、空調運転時において、空調負荷に基づいてインバータ回路の出力周波数を調整する一方、室外熱交温度センサ（Te）及び室内熱交温度センサ（Tc）が検出する冷媒の温度から最適な冷凍効果を与える吐出管温度の最適値を算出し、該吐出管温度がその最適値になるように電動膨張弁（44）の開度を調整するように構成されている。
【００３９】
上記温度風量制御部（62）は、温度風量制御手段を構成している。つまり、上記温度風量制御部（62）は、運転を開始すると、室内にほとんど風を吹き出さない極低回転数ＬＬで室内ファン（32）を回転させた後、室内熱交温度tcが３４℃より高くなり、且つ室内熱交温度tcと室内温度trとの温度差tc−trが１１℃より大きくなると、室内ファン（32）の回転数を低回転数Ｌに増大させるように構成されている。
【００４０】
上記起動風量制御部（64）は、起動風量制御手段を構成している。つまり、上記起動風量制御部（64）は、運転を開始して、所定時間が経過するまでに、温度風量制御部（62）が室内ファン（32）の回転数を低回転数Ｌに増大させないときに、該室内ファン（32）の回転数を低回転数Ｌに増大させるように構成されている。具体的に、上記起動風量制御部（64）は、運転を開始した後３分を経過しても、室内熱交温度tcが３４℃より高くならない場合、又は室内熱交温度tcと室内温度trとの温度差tc−trが１１℃より大きくならない場合には、運転の開始後３分を経過したときに、室内ファン（32）の回転数を低回転数Ｌに増大させるように構成されている。つまり、所定条件にならないために、全く室内の空調運転が開始しないのを防止している。尚、圧縮機（21）が一旦停止した後の再起動までの待機時間を３分としていることを考慮し、室内ファン（32）において、所定条件にならない場合における風を吹き出すまでの経過時間を３分としている。
【００４１】
上記時間風量制御部（63）は、時間風量制御手段を構成し、室内ファン（32）の回転数が低回転数Ｌに増大した後、時間の経過と共に、室内ファン（32）の回転数を段階的に増大させるように構成されている。具体的に、上記時間風量制御部（63）は、室内熱交温度tcが３４℃より高く、且つ室内熱交温度tcと室内温度trとの温度差tc−trが１１℃より大きく、且つ室内ファン（32）の回転数が低回転数Ｌに増大してからの経過時間t1が１分を越えると、室内ファン（32）の回転数を中回転数Ｍに増大させるように構成されている。また、上記時間風量制御部（63）は、室内熱交温度tcが３４℃より高くならない場合、又は室内熱交温度tcと室内温度trとの温度差tc−trが１１℃より大きくならない場合において、室内ファン（32）の回転数が低回転数Ｌに増大してからの経過時間t1が２分を越えると、室内ファン（32）の回転数を中回転数Ｍに増大させるように構成されている。
【００４２】
上記時間風量制御部（63）は、室内熱交温度tcが３４℃より高く、且つ室内熱交温度tcと室内温度trとの温度差tc−trが１１℃より大きく、且つ室内ファン（32）の回転数が中回転数Ｍに増大してからの経過時間t2が１分を越えると、室内ファン（32）の回転数を高回転数Ｈに増大させるように構成されている。また、上記時間風量制御部（63）は、室内熱交温度tcが３４℃より高くならない場合、又は室内熱交温度tcと室内温度trとの温度差tc−trが１１℃より大きくならない場合において、室内ファン（32）の回転数が中回転数Ｍに増大してからの経過時間t2が３分を越えると、室内ファン（32）の回転数を高回転数Ｈに増大させるように構成されている。
【００４３】
つまり、運転容量が圧縮機（21）の起動後３分から５分経過した後に３０秒毎に段階的に増大すると、室内熱交温度tcが上昇する度合いが大きくなるので、運転容量が増大していくタイミングにおおよそ合わせて、室内ファン（32）の回転数を増大させる構成にしたものである。
【００４４】
上記温度風量制御部（62）、時間風量制御部（63）及び起動風量制御部（64）が、運転を開始すると、室内ファン（32）の回転数を設定回転数まで段階的に上げる初期調整手段（65）を構成している。
【００４５】
−運転動作−
この空気調和装置（10）の具体的な運転動作について説明する。
【００４６】
先ず、冷媒の循環動作について説明する。尚、冷房運転時において、四路切換弁（22）は、図１の実線で示す接続に切り換わる。
【００４７】
圧縮機（21）から吐出された冷媒は、四路切換弁（22）を通過して、室外熱交換器（23）及び補助熱交換器（24）に流入し、室外空気と熱交換して凝縮する。この凝縮した冷媒は、第１流入路（48）を通過してレシーバ（43）に一旦貯溜された後、一方向通路（42）を流通して電動膨張弁（44）により減圧される。その後、冷媒は、室内熱交換器（31）に流入し、室内空気を冷却すると共に蒸発し、室外ユニット（20）に流入する。室外ユニット（20）に流入した冷媒は、圧縮機（21）に吸入され、この循環が繰り返される。
【００４８】
一方、暖房運転時において、四路切換弁（22）は、図１の破線で示す接続に切り換わる。
【００４９】
圧縮機（21）から吐出された冷媒が四路切換弁（22）を通過して、室内熱交換器（31）に流入し、室内を暖房して凝縮する。この凝縮した冷媒は、室外ユニット（20）に流入し、第２流入路（50）を流れ、レシーバ（43）に一旦貯溜され、一方向通路（42）を流出して電動膨張弁（44）により減圧される。その後、冷媒は、第２流出路（51）を経て補助熱交換器（24）及び室外熱交換器（23）に流入し、室外空気と熱交換して蒸発し、圧縮機（21）に吸入され、この循環が繰り返される。
【００５０】
上記冷房運転時及び暖房運転時において、運転制御部（61）は、空調負荷に基づいてインバータ回路の出力周波数を調整する一方、室外熱交温度センサ（Te）及び室内熱交温度センサ（Tc）が検出する冷媒の温度から最適な冷凍効果を与える吐出管温度の最適値を算出し、該吐出管温度がその最適値になるように電動膨張弁（44）の開度を制御している。
【００５１】
次に、暖房運転の開始後における室内ファン（32）及び圧縮機（21）の制御動作について、図２（ａ）及び図２（ｂ）を参照しながら説明する。尚、室内ファン（32）の設定回転数が高回転数Ｈの場合について説明するが、設定回転数が低回転数Ｌ又は中回転数Ｍの場合においても、回転数が各設定回転数に増大していく動作は同様である。
【００５２】
先ず、暖房運転の開始時には、圧縮機（21）の運転容量を最大容量の４０％として、圧縮機（21）を起動すると共に、風がほとんどでない極低回転数ＬＬで室内ファン（32）を駆動する。そして、運転容量を４０％に維持しながら運転を続け、運転の開始後３分から５分を経過すると、インバータ回路の出力周波数が段階的に上がることにより、電動機（21a）の回転数が段階的に上がり、運転容量が段階的に増大する。
【００５３】
一方、運転の開始後、圧縮機（21）の吐出側の圧力が次第に上昇するのに伴って、室内熱交温度tcが次第に上昇する。そして、室内熱交温度tcが３４℃より高くなり、且つ室内熱交温度tcと室内温度trとの温度差tc−trが１１℃より大きくなると、室内ファン（32）の回転数が中間回転数である低回転数Ｌに増大し、少量の風が室内に吹き出す。
【００５４】
その後も運転を継続すると、圧縮機（21）の運転容量が段階的に増大するのに伴い、室内熱交温度tcが次第に上昇するため、室内熱交換器（31）を通過した空気の温度も次第に上昇し、室内熱交温度tcと室内温度trとの温度差tc−trも次第に大きくなる。室内ファン（32）の回転数が低回転数Ｌに上がってからの経過時間t1が１分を越えると、室内ファン（32）の回転数は中回転数Ｍに上がり、吹き出し風量が増大する。
【００５５】
その後、圧縮機（21）の運転容量が更に増大すると共に、室内熱交温度tcが更に上昇するため、室内熱交換器（31）を通過した空気の温度も更に上昇し、室内熱交温度tcと室内温度trとの温度差tc−trも更に大きくなる。室内ファン（32）の回転数が中回転数Ｍに上がってからの経過時間t2が１分を越えると、室内ファン（32）の回転数が高回転数Ｈに上がり、最大風量の空気を室内に吹き出す。つまり、室内熱交温度tcが上昇することにより、吹き出し空気の温度が上昇すると共に、吹き出し風量が増大する。
【００５６】
一方、運転の開始後３分を経過するまでに、室内熱交温度tcが３４℃より高くならない場合、又は室内熱交温度tcと室内温度trとの温度差tc−trが１１℃より大きくならない場合には、運転の開始後３分を経過したときに、起動風量制御部（64）が室内ファン（32）の回転数を極低回転数ＬＬから低回転数Ｌに増大させる。つまり、運転開始時の室内の温度がかなり低いために、室内熱交温度tc及び温度差tc−trが所定値になりにくい場合においても、運転容量が増大するのに伴って、室内熱交温度tcが上昇するため、室内ファン（32）の回転数を極低回転数ＬＬから低回転数Ｌに増大させることにより、全く室内が暖房されないのを防止している。
【００５７】
その後も室内熱交温度tcが３４℃より高くならない場合、又は室内熱交温度tcと室内温度trとの温度差tc−trが１１℃より大きくならない場合には、室内ファン（32）の回転数が低回転数Ｌに増大してからの経過時間t1が２分を越えると、室内ファン（32）の回転数が中回転数Ｍに上がる。つまり、運転開始時の室内の温度がかなり低いために、室内熱交温度tc及び温度差tc−trが所定値になりにくい場合には、室内熱交温度tcが上昇する度合いが少ないので、室内ファン（32）の回転数を上げるタイミングを遅らせながら、風量を増大させている。
【００５８】
また、運転開始後３分を経過することによって、室内ファン（32）の回転数が低回転数Ｌに上がったときでも、室内熱交温度tcが３４℃より高く、且つ室内熱交温度tcと室内温度trとの温度差tc−trが１１℃より大きく、且つ室内ファン（32）の回転数が低回転数Ｌに上がってからの経過時間t1が１分を越えたときには、室内ファン（32）の回転数が中回転数Ｍに上がる。
【００５９】
その後、室内ファン（32）の回転数が中回転数Ｍに上がってからの経過時間t2が３分を越えると、室内ファン（32）の回転数が高回転数Ｈに上がり、最大風量の空気が室内に吹き出す。
【００６０】
−実施形態の効果−
本実施形態によれば、室内熱交換器（31）から吹き出す風量を設定風量まで次第に増加させるようにしたために、運転を開始した直後に設定風量の冷風が吹き出すのを防止することができる。この結果、例えば、室内の人間が不快に感じるのを防止することができ、快適性の向上を図ることができる。
【００６１】
また、比較的室内の温度が高い場合において、吹き出し空気の温度が室内の温度に近いと、吹き出し空気を暖かく感じないことがあるが、これを確実に防止することができる。
【００６２】
また、所定時間内に所定条件にならないときでも、所定時間が経過したときに、室内ファン（32）の回転数を中間回転数に増大させるようにしたために、全く空調されずに、例えば、室内の人間が不快に感じるのを防止することができ、快適性の向上を図ることができる。
【００６３】
【発明の他の実施の形態】
本発明は、上記実施形態について、コントローラ（60）は、起動風量制御部（64）を省略する構成にしてもよい。
【００６４】
また、上記実施形態における室内ファン（32）は、４段階又は３段階の回転数に設定する構成に限られるものではない。つまり、室内ファン（32）は、５段階以上又は４段階以上の回転数に設定するようにしてもよい。
【００６５】
また、上記空気調和装置は、暖房専用機であってもよい。
【図面の簡単な説明】
【図１】本発明に係る空気調和装置の冷媒系統図である。
【図２】（ａ）実施形態に係る空気調和装置の室内ファンの回転数の変化を示す特性図である。（ｂ）実施形態に係る空気調和装置の圧縮機の運転容量の変化を示す特性図である。
【図３】従来の空気調和装置の室内ファンの回転数の変化を示す特性図である。
【符号の説明】
11            冷媒回路
21            圧縮機
23            室外熱交換器
24            補助熱交換器
31            室内熱交換器
32            室内ファン
44            電動膨張弁
62            温度風量制御部
63            時間風量制御部
64            起動風量制御部
65            初期調整手段
【図１】
0003599011.tif 000002
【図２】
0003599011.tif 000003
【図３】
0003599011.tif 000004